(57)【要約】【課題】  照射効率を低下することなく、メインテナンスを容易にすることができる屋外用照明装置を提供する。【解決手段】  本発明の屋外用照明装置1によれば、紫外線を透過する透光性カバー12の外表面に形成された光触媒層18に紫外線が照射されて光触媒層18の表面に付着した物質の酸化、分解を促進し、埃あるいはごみを浄化するとともに、光触媒層18が形成された透光性カバー12から可視光線を透過して、可視光線を照射して屋外を照明できる。また、器具本体3が屋外に設置されるので、光触媒層18には光源11以外からの紫外線に加えて太陽光などの外光による紫外線も照射されて光触媒活性が生じ、特に雨などにより汚れが容易に洗い流されて、清掃が不要になり、美観が向上する。【選択図】図１
2006245007.tif 000002
【特許請求の範囲】
【請求項１】
可視光および３００ｎｍ以上４００ｎｍ以下の紫外線を照射する光源と；
この光源を覆う紫外線を透過する透光性カバーと；
光源および透光性カバーが配設された器具本体と；
透光性カバーの外表面に形成された光触媒層と；
を具備したことを特徴とする屋外用照明装置。
【請求項２】
光触媒層は、透光性カバーの外表面に形成されたＳｉＯ２を主成分とした中間層を介して設けられていることを特徴とする請求項１記載の屋外用照明装置。
【請求項３】
透光性カバーはアクリル樹脂製であることを特徴とする請求項１または２記載の屋外用照明装置。
【請求項４】
透光性カバーおよび器具本体間に水密用パッキングが設けられていることを特徴とする請求項１ないし３いずれか一記載の屋外用照明装置。
【請求項５】
器具本体が道路に沿って配設されるポールの先端に取付けられていることを特徴とする請求項１ないし４いずれか一記載の屋外用照明装置。
【発明の詳細な説明】
【技術分野】
【０００１】
本発明は、透光性カバーの外表面に光触媒層が形成されてなる道路や運動場等の屋外にに設置される屋外用照明装置に関する。
【背景技術】
【０００２】
従来、照明装置として、汚れが付着しやすい屋外で用いる照明装置、あるいは、たばこの煙や臭気が雰囲気中に浮遊する屋内で用いる照明装置などがある。
【０００３】
特に、この種の屋外で用いる照明装置は、たとえば自動車の排気ガス中に含まれるＣＯ２（二酸化炭素）あるいはＮＯｘ（窒素酸化物）などの大気汚染物質が介在することにより埃あるいはごみなどが付着しやすい。
【０００４】
また、これら照明装置は、道路上の高所あるいはトンネル内の暗い箇所に取り付けられているため、埃あるいはごみなどが付着した場合のクリーニングその他のメインテナンスに費用がかかる。
【０００５】
一方、屋内で用いる照明装置は、たとえばタバコのヤニその他のものが付着しやすい。
【０００６】
この場合にも、必ずしも容易にメインテナンスを行なうことができず、また、メインテナンスの容易なものも望まれている。
【０００７】
そこで、付着物を酸化、分解させる蛍光ランプが知られている（例えば、特許文献１参照）。この特許文献１に記載のランプは、透光性を有する外囲器内の負グロー放電によって紫外線を放射する水銀が封入され、この外囲器の表面に光触媒作用を有する物質であるＴｉＯ２（酸化チタン、チタニア）の光触媒層を形成したものである。
【０００８】
そして、負グロー放電によって水銀を電離および励起させて１８５ｎｍおよび２４５ｎｍの紫外線を発生し、この水銀から放出される紫外線を受けると、周囲の雰囲気中の脱臭もしくは消臭、雰囲気中の有機成分の分解などを行なうものである。
【０００９】
すなわち、半導体のバンドギャップ（禁制帯域）よりも大きなエネルギーを有する波長域の光が照射されると半導体に電子および電子のホールが生じ、電子移動反応を起こす。たとえばＴｉＯ２は約３．０ｅＶのバンドギャップを有する半導体であり、このバンドギャップよりも大きなエネルギーを有する波長４１０ｎｍ以下のいわゆる紫外線が照射されると、ＴｉＯ２に電子および電子のホール（抜け穴）が生じ、このホールの移動で表面において電子移動反応を起こす。そして、この電子移動反応では、ホールはバンドギャップ分のエネルギーに相当する電子を引き抜く力、すなわち酸化力を持っているため、このホールの酸化力によってＴｉＯ２の表面に付着あるいは接触した物質を変化させている。
【００１０】
このように、ＴｉＯ２は紫外線を受けると強い酸化力を生ずるため、ＴｉＯ２表面に付着した物質、たとえばアセトアルデヒド、メチルメルカブタン、硫化水素あるいはアンモニアなどの物質の酸化、分解を促進するので、大気汚染などによる埃またはごみによるクリーニングを容易にすることができる。なお、ＴｉＯ２は不純物の濃度によってバンドギャップが多少変化するので、４１０ｎｍ以上の可視光で光触媒作用を生ずる場合もある。
【００１１】
一方、一般照明用のランプを用いた光触媒機能付の照明装置が知られている（例えば、特許文献２参照）。この特許文献２に記載の構成では、ランプから照射された紫外線を利用し、ランプに対向して設けられたカバーに光触媒層を形成したものである。
【特許文献１】特開平１−１６９８６６号公報
【特許文献２】特開平７−１１１１０４号公報
【発明の開示】
【発明が解決しようとする課題】
【００１２】
しかしながら、特許文献２に記載の構成では、消臭を目的としたものであり、十分な汚れ除去効果を有するか不明である。また、一般的なカバー、たとえば光拡散性のカバーを用いている場合は、カバーの紫外線透過率が低く、多くの紫外線が吸収または反射されてしまい、所望の光触媒作用が得られず、埃またはごみなどの付着による汚れを十分に除去できない。
【００１３】
一方、光触媒層によりランプからの可視光線が吸収されてしまうと、照射効率が著しく低下して照明機能が損なわれるという問題を有している。
【００１４】
本発明は、照射効率を低下することなく、メインテナンスを容易にすることができる屋外用照明装置を提供することを目的とする。
【課題を解決するための手段】
【００１５】
請求項１記載の屋外用照明装置は、可視光および３００ｎｍ以上４００ｎｍ以下の紫外線を照射する光源と；この光源を覆う紫外線を透過する透光性カバーと；光源および透光性カバーが配設された器具本体と；透光性カバーの外表面に形成された光触媒層と；
を具備したことを特徴とする。
【００１６】
透光性カバーは、ソーダライムガラス、石英ガラスなどのガラス材、透光性セラミックス、樹脂などの材料を可視光線との透過率が８０％以上となるように厚さなどを調整して構成できる。
【００１７】
光源から照射された紫外線が透光性カバーを透過して透光性カバーの外表面に形成された光触媒層に到達し、光触媒層の表面に付着した物質の酸化、分解を促進し、埃あるいはごみを浄化するとともに、光触媒層が形成された透光性カバーは可視光線を透過し、照射する。
【００１８】
請求項２は、請求項１記載の屋外用照明装置において、光触媒層は、透光性カバーの外表面に形成されたＳｉＯ２を主成分とした中間層を介して設けられていることを特徴とする。
【００１９】
可視光線および紫外線の少なくとも一部の透過率を大きく低下させることなく、光触媒層の離脱のおそれを解消する。なお、中間層はたとえばＳｉＯ２を主成分としたものが適用可能である、これに限られない。
【００２０】
請求項３は、請求項１または２記載の屋外用照明装置において、透光性カバーはアクリル樹脂製であることを特徴とする。
【００２１】
アクリル樹脂は紫外線をほとんど吸収しないので、光触媒層による光触媒を確実にする。
【００２２】
請求項４は、請求項１ないし３いずれか一記載の屋外用照明装置において、透光性カバーおよび器具本体間に水密用パッキングが設けられていることを特徴とする。
【００２３】
請求項５は、請求項１ないし４いずれか一記載の屋外用照明装置において、器具本体が道路に沿って配設されるポールの先端に取付けられていることを特徴とする。
【００２４】
器具本体を支持するポールによりメインテナンスが容易でない高所にも取り付けられる。
【発明の効果】
【００２５】
請求項１記載の屋外用照明装置によれば、紫外線を透過する透光性カバーの外表面に形成された光触媒層に紫外線が照射されて光触媒層の表面に付着した物質の酸化、分解を促進し、埃あるいはごみを浄化するとともに、光触媒層が形成された透光性カバーから可視光線を透過して、可視光線を照射して屋外を照明できる。また、器具本体が屋外に設置されるので、光触媒層には光源以外からの紫外線に加えて太陽光などの外光による紫外線も照射されて光触媒活性が生じ、特に雨などにより汚れが容易に洗い流されて、清掃が不要になり、美観が向上する。
【００２６】
請求項２記載の屋外用照明装置によれば、請求項１記載の効果に加え、可視光線および紫外線の透過率を大きく低下させることなく、光触媒層の離脱のおそれを解消できる。
【００２７】
請求項３記載の屋外用照明装置によれば、請求項１または２記載の効果に加え、アクリル樹脂は紫外線をほとんど吸収しないので、光触媒層による光触媒を確実にできる。
【００２８】
請求項４記載の屋外用照明装置によれば、請求項１ないし３いずれか一記載の効果に加え、透光性カバーのパッキンによって屋外用途としての水密性を確保することができる。
【００２９】
請求項５記載の照明装置によれば、請求項１ないし４いずれか一記載の効果に加え、器具本体を支持するポールにより高所にも取り付けることで、メインテナンスが容易な道路用照明装置とすることができる。
【発明を実施するための最良の形態】
【００３０】
以下、本発明の照明装置の第１の実施の形態を図１ないし図５に示す道路用照明器具を参照して説明する。
【００３１】
図１は道路用照明装置を示す縦断面図で、図２はその斜視図で、図３はその一部を切り欠いた背面図で、図４は平面図であり、これら図１ないし図４に示す道路用照明装置１は、ポール２の先端に取り付けられ、たとえば高速道路あるいは一般道路に沿って配設されている。
【００３２】
そして、この道路用照明装置１は、平面ほぼ長円形状の器具本体３を有し、この器具本体３の基端にはポール２に取り付けるためのポール支持部４，４が形成されている。また、器具本体３の先端側には下面に向けた開口５が形成され、器具本体３の内面にはこの開口５に対向して照射された光を開口５方向に向けて反射する複数の反射板６，７，７が取り付けられるとともに、これら反射板６，７，７の基端側にはランプソケット８がランプソケット取付板９を介して取り付けられており、このランプソケット取付板９にも基端側へ照射された光を反射する反射板10が取り付けられている。なお、ランプソケット８には、光源としてのＨＩＤランプである高圧水銀ランプ11が着脱自在に取り付けられる。
【００３３】
また、開口５にはほぼ半球状の硬質ガラス製の透光性カバーとしてのグローブ12が枠体13に保持されて開口５の先端側の器具本体３に設けられた蝶番14により開閉可能に取り付けられ、開口５の基端側の器具本体３に設けられたラッチ15にて、グローブ12および枠体13が開口５を閉塞した状態で、枠体13が器具本体３に保持される。さらに、器具本体３には、枠体13を器具本体３に閉塞した状態で水密にシールするパッキン16が取り付けられている。
【００３４】
そして、図５は光触媒層の状態を示す断面図で、このグローブ12は、可視光線および３００ｎｍないし４１０ｎｍの波長領域内の少なくとも一部の紫外線の８０％以上を透過し、このグローブ12の表面には、ＳｉＯ２の微粒子を主成分とした中間層１７を介して、平均粒径１μｍ以下、好ましくは０．０５μｍ〜０．２μｍのアナターゼ形のＴｉＯ２の微粒子を主体とした光触媒層が形成される。光触媒層の形成方法は、まず、有機チタン化合物を主成分としてアルコールなどの溶剤に溶解してチタンアルコレート溶液を調整した後、この溶液に平均粒径５ないし５０ｎｍのＴｉＯ２微粒子を分散、懸濁し、懸濁液を調整する。この懸濁液をグローブ装面に塗付した後、約６００℃で焼成して光触媒層が形成される。また、膜厚は、可視光線の８０％以上を透過する０．０１ないし０．５μｍ、好ましくは０．０８μｍの光触媒層１８にて形成されている。
【００３５】
なお、透過率としてはたとえば次式により求める。
【００３６】
すなわち、入射放射束〔Ｗ〕をΦe とし、透過放射束〔Ｗ〕をΦe τとすると、透過率τ＝Φe τ／Φe 、または、Φv を入射光束〔lm〕とし、透過放射束〔lm〕をΦv τとすると、透過率τ＝Φv τ／Φv となる。
【００３７】
また、中間層17は、出発素材をＭｅ３ＳｉＮＨＳｉＭｅ３（ヘキサメチルジシラザン）、［Ｍｅ２ＳｉＮＨ］３（ヘキサメチルシクロトリシラザン）とするたとえば東燃株式会社製の溶液に浸漬して引き上げ乾燥させ、８０℃の温度で形成する。
【００３８】
さらに、光触媒層18は、平均粒径０．０５μｍのＴｉＯ２の粉末およびＳｉＯ２の粉末を、酢酸ブチルアルコール−ブチルアルコールの混合媒体に分散させて調製した懸濁液に、グローブ１２を浸漬して中間層１７上に平均１μｍの厚みに塗布し、１００℃以上、好ましくは１５０℃で約５分保持して乾燥させ形成する。
【００３９】
なお、光触媒層18は、たとえばＳｉ（ＥｔＯ４）（テトラエトキシシラン  Ｅｔはエチル基）に、バインダ成分の素材を親水性溶媒および疎水性高沸点溶媒の混合混濁液で溶液化し、光触媒微粒子を分散、懸濁させた液を塗布、乾燥、焼成して形成してもよい。
【００４０】
さらに、ポール２および器具本体３などの表面の塗装面および金属面に光触媒層を形成しても良い。
【００４１】
次に、上記実施の形態の作用について説明する。
【００４２】
まず、高圧水銀ランプ11を点灯させると、高圧水銀ランプ11から可視光線および３００ｎｍ〜４１０ｎｍの波長領域内の紫外線を含む光を照射する。
【００４３】
そして、高圧水銀ランプ11からのこれら可視光線および紫外線は、反射板６，７，７，10で反射されて、あるいは、直接グローブ12に達し、グローブ12を介して下方に照射され、下方を明るくする。
【００４４】
また、グローブ12および光触媒層18はいずれも可視光線を８０％以上透過するので、十分な明るさで照射を行なう。
【００４５】
さらに、グローブ12に達した紫外線は光触媒層18にて吸収され、光触媒層18内のＴｉＯ２の内部にホールを生じさせ、このホールが約３．０ｅＶのバンドギャップ分のエネルギーだけ電子を引き抜く力、すなわち酸化力を持ち、グローブ１２の表面に付着した物質を酸化させる。そして、このとき光触媒層１８では、高圧水銀ランプ１１からの３００ｎｍないし４１０ｎｍの波長領域内の紫外線を８０％以上透過するので、高圧水銀ランプ１１および外光により触媒活性を呈して環境を汚染している臭気あるいは有機物などを、より効率的に酸化、分解し、さらに、高圧水銀ランプ１１の発熱により酸化分解作用が助長される。
【００４６】
すなわち、グローブ12に付着したたとえばメチルカプタン、硫化水素などの硫黄酸化物、アンモニアなどの含窒素化合物、および、アルデヒド類などの分解が促進されるとともに、臭気物質の分解による消臭も行なう。
【００４７】
また、強い酸化作用により、細菌を含む雑菌の殺菌あるいは滅菌、汚れなどの浄化、たとえば煙草のやに、油脂成分なども分解し、環境の浄化も図れる。
【００４８】
したがって、グローブ12の表面に、煙草のやに、油脂成分などの埃やごみが堆積しても、これら物質の付着を効果的に防止して、グローブ12を介して照射される光束の低下を防止でき、省エネルギー効果を有し、グローブ12を拭くなどの掃除が不要になり、メインテナンスも容易になる。
【００４９】
なお、光触媒層18としては、ＴｉＯ２に限らず、たとえばＺｎＯ、ＷＯ３、ＬａＲｈＯ３、ＦｅＴｉＯ３、Ｆｅ２Ｏ３、ＣｄＦｅ２Ｏ４、ＳｒＴｉＯ３、ＣｄＳｅ、ＧａＡｓ、ＣａＰ、ＣｅＯ２、ＴｂＯ２、ＭｇＯ、Ｅｒ２Ｏ３あるいはＲｕＯ２などの光触媒作用を有する化合物もしくは物質の微粒子、あるいは、これらの２種以上の微粒子の混合系、さらに、ゼオライトなどを混合したもの、および、バインダ成分にて形成されても同様の効果を得ることができる。
【００５０】
また、ポール２および器具本体３などの表面の塗装面に光触媒層を形成すれば、高圧水銀ランプ11からの光あるいは太陽光などの外光で光触媒層18に０．７μＷ／ｃｍ２以上の紫外線が照射されると光触媒活性が生じ、ポール２および器具本体３に汚れが付着しにくくなり、特に雨などにより汚れを容易に洗い流すので、清掃が不要になり、美観が向上する。
【００５１】
さらに、防湿性が良いので耐湿性および耐蝕性が向上し、紫外線も吸収するので紫外線による劣化も防止できる。
【００５２】
次に、第２の実施の形態を図６ないし図８に示すトンネル用照明装置を参照して説明する。
【００５３】
図６はトンネル用照明器具を示す斜視図で、図７は正面図で、図８は一部を切り欠いた側面図であり、これら図６ないし図８に示すトンネル用照明装置21は、たとえばトンネル内に配設されている。
【００５４】
これら図６ないし図８に示すトンネル用照明装置21は、中空の薄箱直方体の器具本体22を有し、この器具本体22の下面に開口23が形成され、器具本体22の背面には取付用の板状の取付脚24が形成されている。また、器具本体22内には開口23に対向して照射された光を開口23方向に向けて反射する曲面上の反射板25が取り付けられるとともに、この反射板25の長手方向の一端側にはランプソケット26が取り付けられており、このランプソケット26には、光源としての可視光線および３００ｎｍないし４１０ｎｍの波長領域内の紫外線を含む光を照射する低圧ナトリウムランプ27が着脱自在に取り付けられる。なお、低圧ナトリウムランプに代えて、可視光線および３００ｎｍないし４１０ｎｍの波長領域内の紫外線を含む光を照射する高圧ナトリウムランプを用いても同様の効果を得ることができる。
【００５５】
また、開口23には平板状の強化ガラス製の透光性カバーとして可視光線および３００ｎｍないし４１０ｎｍの波長領域内の少なくとも一部の紫外線の８０％以上を透過する照明カバー28が枠体29に保持されて開口23の一側に設けられた蝶番31により開閉可能に取り付けられ、開口23の他側に設けられたラッチ32にて、照明カバー28および枠体29が開口23を閉塞した状態で、枠体29が器具本体22に保持される。さらに、器具本体22には、枠体13を器具本体22に閉塞した状態で水密にシールするパッキン33が取り付けられている。なお、器具本体22の周囲にも第１の実施の形態で記載したように、光触媒層を形成しメインテナンスを容易にしても良い。
【００５６】
さらに、照明カバー28の外表面側には、第１の実施の形態の図５に示す場合と同様に、中間層および光触媒層が積層形成されている。
【００５７】
そして、この第２の実施の形態も、低圧ナトリウムランプ27を点灯させることによりあるいは太陽光などの外光により、第１の実施の形態と同様の作用および効果を奏する。なお、この第２の実施の形態では、低圧ナトリウムランプ27を用いているため、低圧ナトリウムランプ27からは橙色系の可視光線および３００ｎｍ〜４１０ｎｍの波長領域内の紫外線を含む光を照射する。そして、照明カバー28および光触媒層はいずれも可視光線を８０％以上透過するので、十分な明るさで照射を行なうとともに、照明カバー28は３００ｎｍないし４１０ｎｍの波長領域内の少なくとも一部を８０％以上透過するので、照明カバー28の光触媒層で確実に光触媒を行なえ、照明カバー28を清浄して照射効率を向上できる。したがって、トンネル内の排気ガスあるいは霧などの視認距離が短い場合にも、比較的遠くまで視認距離を長くすることもできるとともに、メインテナンスの軽減および省エネルギー効果を有する。
【００５８】
さらに、第３の実施の形態を図９ないし図１１に示す非常駐車帯用照明装置を参照して説明する。
【００５９】
図９は非常駐車帯用照明装置を示す斜視図で、図１０は正面図で、図１１は一部を切り欠いた側面図であり、これら図９ないし図１１に示す非常駐車帯用照明装置41は、たとえばトンネル内の非常駐車帯に配設されている。
【００６０】
これら図９ないし図１１に示す非常駐車帯用照明装置41は、中空の細長直方体の器具本体42を有し、この器具本体42の下面に開口43が形成され、器具本体42の背面には取付用の板状の取付脚44が形成されている。また、器具本体42内には開口43に対向して照射された光を開口43方向に向けて反射する板状の反射板45が取り付けられるとともに、この反射板45の長手方向の両端にはそれぞれ対向して対をなすランプソケット46，46が２つづつ取り付けられており、これらランプソケット46，46間には、光源として可視光線および３００ｎｍ〜４１０ｎｍの波長領域内の紫外線を含む光を照射する直管型の蛍光ランプ47，47が着脱自在に取り付けられる。なお、直管形の蛍光ランプに代えて、環状型あるいはコンパクト型の蛍光ランプを用いても同様の効果を得ることができる。また、器具本体42の周囲にも第１の実施の形態で記載したように、光触媒層を形成しメインテナンスを容易にしても良い。
【００６１】
なお、蛍光ランプ47は、水銀およびアルゴンなどの不活性ガスの希ガスが封入されるとともに、図示しない内部に形成された蛍光体層を、水銀から放出された紫外線により励起されて可視光線に変換する３波長形蛍光体で形成されている。
【００６２】
そして、この３波長型蛍光体は、たとえば６１０ｎｍ付近にピーク波長を有する赤系蛍光体としてＹ２Ｏ３：Ｅｕ３＋、５４０ｎｍ付近にピーク波長を有する緑色蛍光体として（Ｌａ，Ｃｅ，Ｔｂ）ＰＯ４、４５０ｎｍ付近にピーク波長を有する青色蛍光体としてＢａＭｇ２Ａｌ１６Ｏ２７：Ｅｕ２＋が用いられている。
【００６３】
なお、蛍光体層には、３００ｎｍないし４１０ｎｍの波長領域内の紫外線に変換する紫外線発光蛍光体を混合させて形成してもよい。また、紫外線発光蛍光体は、混合比が１〜１０重量％でユーロピウム付活アルカリ土類金属ホウ酸塩、鉛付活アルカリ土類ケイ酸塩、ユーロピウム付活リン酸塩、セリウム付活希土類リン酸塩、または、ユーロピウム付活アルカリ土類金属ホウ酸塩にハロゲンが添加された蛍光体の少なくとも１種類以上が用いられる。そして、ユーロピウム付活アルカリ土類金属硝酸塩としては、たとえば３６８ｎｍにピーク波長を持つＳｒＢ４Ｏ７：Ｅｕ２＋が有効であり、鉛付活珪酸塩としては３７０ｎｍにピーク長を持つ（Ｂａ，Ｓｒ，Ｍｇ）３Ｓｉ２Ｏ７：Ｐｂ２＋や３５０ｎｍにピーク波長を持つＢａＳｉ２Ｏ５：Ｐｂ２＋などが好適で、ユーロピウム付活アルカリ土類金属リン酸塩としては３８０ｎｍ〜３９５ｎｍにピーク波長をもつ（ＳｒＭｇ）２Ｐ２Ｏ７：Ｅｕ２＋などが有効である。また、セリウム付活希土類リン酸塩としては、３５７ｎｍ付近にピーク波長を有するＹＰＯ４：Ｃｅ３＋などが好適である。
【００６４】
なお、蛍光ランプ47は、３波長発光型に限らず、ハロりん酸カルシウム蛍光体あるいはその他に用いられている蛍光体を用いても同様の効果を得ることができる。
【００６５】
また、開口43には平板状の強化ガラス製の透光性カバーとしての可視光線および３００ｎｍないし４１０ｎｍの波長領域内の少なくとも一部の紫外線の８０％以上を透過する照明カバー48が枠体49に保持されて開口43の一側に設けられた蝶番51により開閉可能に取り付けられ、開口43の他側に設けられたラッチ52にて、照明カバー48および枠体49が開口43を閉塞した状態で、枠体49が器具本体42に保持される。
【００６６】
さらに、照明カバー48の外表面側には、第１の実施の形態の図５に示す場合と同様に、中間層および光触媒層が積層形成されている。
【００６７】
そして、この第３の実施の形態も、蛍光ランプ47を点灯させることによりあるいは太陽光などの外光により、第１の実施の形態と同様の作用および効果を奏する。なお、この第３の実施の形態では、３波長の可視光線および紫外線を発光する蛍光ランプ47を用いているため、高演色性も得られる。
【００６８】
またさらに、第４の実施の形態を図１２および図１３に示す照明装置としてのトンネル誘導表示灯を参照して説明する。
【００６９】
図１２はトンネル誘導表示灯を示す正面図で、図１３は平面図であり、これら図１２および図１３に示すトンネル誘導表示灯61は、たとえばトンネル内に配設されている。
【００７０】
これら図１２ないし図１３に示すトンネル誘導表示灯61は、口字状の器具本体62を有し、この器具本体62の前後面に開口63が形成され、器具本体62の上面には取付用の板状の取付脚64が形成されている。また、器具本体62内には長手方向の両端にはそれぞれ対向して対をなすランプソケット65，65が２つづつ取り付けられており、これらランプソケット65，65間には、光源として可視光線および３００ｎｍないし４１０ｎｍの波長領域内の少なくとも一部を照射する直管型の蛍光ランプ66，66が着脱自在に取り付けられる。なお、直管型の蛍光ランプに代えて、環状型あるいはコンパクト型の蛍光ランプを用いても同様の効果を得ることができ、第３の実施の形態に示す３波長発光型あるいはその他の蛍光ランプを用いる。また、器具本体62の周囲にも第１の実施の形態で記載したように、光触媒層を形成しメインテナンスを容易にしても良い。
【００７１】
また、前後面の開口63には平板状の強化ガラス製の透光性カバーとして可視光線および３００ｎｍ〜４１０ｎｍの波長領域内の少なくとも一部の紫外線を８０％以上透過する表示板67が枠体68に保持されて開口63の上側に設けられた蝶番69により開閉可能に取り付けられ、開口63の他側に設けられたラッチ70にて、表示板67および枠体68が開口63を閉塞した状態で、枠体63が器具本体62に保持される。
【００７２】
そして、表示板67は内面側には図示しない紫外線透過性のシルク印刷インキにてピクトグラムあるいは非常口などの文字が形成され、外表面側には第１の実施の形態の図５に示す場合と同様に、中間層および光触媒層が積層形成されている。
【００７３】
なお、蛍光ランプ47は、水銀およびアルゴンなどの不活性ガスの希ガスが封入されるとともに、図示しない内部に形成された蛍光体層を、水銀から放出された紫外線により励起されて可視光線に変換する３波長型蛍光体および３００ｎｍないし４１０ｎｍの波長領域内の紫外線に変換する紫外線発光蛍光体の混合体で形成している。
【００７４】
そして、この３波長型蛍光体は、たとえば６１６ｎｍ付近にピーク波長を有する赤系蛍光体として（Ｙ．Ｇｄ）ＢＯ３：Ｅｕ、５４０ｎｍ付近にピーク波長を有する緑色蛍光体としてＣａＰＯ４、４５０ｎｍ付近にピーク波長を有する青色蛍光体としてＢａＭｇＡｌ１４Ｏ２３：Ｅｕが用いられている。
【００７５】
また、紫外線発光蛍光体は、混合比が１〜１０重量％でユーロピウム付活アルカリ土類金属硝酸塩、鉛付活珪酸塩、ユーロピウム付活アルカリ土類金属アルミン酸塩、または、これらにハロゲンが添加された蛍光体の少なくとも１種類以上が用いられる。そして、ユーロピウム付活アルカリ土類金属硝酸塩としては、たとえば３６８ｎｍにピーク波長を持つＳｒ２Ｂ２Ｏ７：Ｅｕ２＋が有効であり、鉛付活珪酸塩としては３７０ｎｍにピーク長を持つ（ＢａＳｒＭｇ）３ＳｉＯ７：Ｐｂ２＋や３５０ｎｍにピーク波長を持つＢａＳｉ２Ｏ５：Ｐｂ２＋などが好適で、ユーロピウム付活アルカリ土類金属アルミン酸塩としては３５８ｎｍ〜３６０ｎｍにピーク波長をもつものなどが有効である。
【００７６】
なお、蛍光ランプ47は、３波長発光型に限らず、ハロりん酸カルシウム蛍光体あるいはその他に用いられている蛍光体を用いても同様の効果を得ることができる。
【００７７】
また、開口43には平板状の強化ガラス製の透光性カバーとしての可視光線および３００ｎｍないし４１０ｎｍの波長領域内の少なくとも一部の紫外線の８０％以上を透過する照明カバー48が枠体49に保持されて開口43の一側に設けられた蝶番51により開閉可能に取り付けられ、開口43の他側に設けられたラッチ52にて、照明カバー48および枠体49が開口43を閉塞した状態で、枠体49が器具本体42に保持される。
【００７８】
さらに、照明カバー48の外表面側には、第１の実施の形態の図５に示す場合と同様に、中間層および光触媒層が積層形成されている。
【００７９】
そして、この第３の実施の形態も、蛍光ランプ47を点灯させることによりあるいは太陽光などの外光により、第１の実施の形態と同様の作用および効果を奏する。なお、この第３の実施の形態では、３波長の可視光線および紫外線を発光する蛍光ランプ47を用いているため、高演色性も得られる。
【００８０】
またさらに、第４の実施の形態を図１２および図１３に示す照明装置としてのトンネル誘導表示灯を参照して説明する。
【００８１】
図１２はトンネル誘導表示灯を示す正面図で、図１３は平面図であり、これら図１２および図１３に示すトンネル誘導表示灯61は、たとえばトンネル内に配設されている。
【００８２】
これら図１２ないし図１３に示すトンネル誘導表示灯61は、口字状の器具本体62を有し、この器具本体62の前後面に開口63が形成され、器具本体62の上面には取付用の板状の取付脚64が形成されている。また、器具本体62内には長手方向の両端にはそれぞれ対向して対をなすランプソケット65，65が２つづつ取り付けられており、これらランプソケット65，65間には、光源として可視光線および３００ｎｍないし４１０ｎｍの波長領域内の少なくとも一部を照射する直管型の蛍光ランプ66，66が着脱自在に取り付けられる。なお、直管型の蛍光ランプに代えて、環状型あるいはコンパクト型の蛍光ランプを用いても同様の効果を得ることができ、第３の実施の形態に示す３波長発光型あるいはその他の蛍光ランプを用いる。また、器具本体62の周囲にも第１の実施の形態で記載したように、光触媒層を形成しメインテナンスを容易にしても良い。
【００８３】
また、前後面の開口63には平板状の強化ガラス製の透光性カバーとして可視光線および３００ｎｍ〜４１０ｎｍの波長領域内の少なくとも一部の紫外線を８０％以上透過する表示板67が枠体68に保持されて開口63の上側に設けられた蝶番69により開閉可能に取り付けられ、開口63の他側に設けられたラッチ70にて、表示板67および枠体68が開口63を閉塞した状態で、枠体63が器具本体62に保持される。
【００８４】
そして、表示板67は内面側には図示しない紫外線透過型のシルク印刷インキにてピクトグラムあるいは非常口などの文字が形成され、外表面側には第１の実施の形態の図５に示す場合と同様に、中間層および光触媒層が積層形成されている。
【００８５】
そして、この第４の実施の形態も、蛍光ランプ66を点灯させることによりあるいは太陽光などの外光により、第１の実施の形態と同様の作用および効果を奏する。なお、この第４の実施の形態では、表示板67にピクトグラムあるいは文字が形成されているが、紫外線透過性のシルク印刷インキであるため、紫外線が吸収されることなく、可視光線および３００ｎｍないし４１０ｎｍの波長領域内の少なくとも一部の紫外線の８０％以上を透過することにより光触媒層まで紫外線が到達し、第１の実施の形態に示す作用および効果を妨げない。
【００８６】
そしてまた、第５の実施の形態を図１４および図１５に示す避難坑用照明装置を参照して説明する。
【００８７】
図１４は避難坑用照明装置を示す正面図で、図１５は側面図であり、これら図１４および図１５に示す避難坑用照明装置81は、たとえばトンネルに平行に穿孔された避難坑内に配設されている。
【００８８】
これら図１４および図１５に示す避難坑用照明装置81は、箱状の器具本体82を有し、この器具本体82の上面には取付用の板状の直付金具83が取り付けられている。また、器具本体82の下面には反射板84が取り付けられ、この反射板84の長手方向の両端には対向して対をなすランプソケット85が取り付けられており、これらランプソケット85，85間には、光源として可視光線および３００ｎｍないし４１０ｎｍの波長領域内の紫外線を含む光を照射する直管型の蛍光ランプ86が着脱自在に取り付けられ、この蛍光ランプ86は可視光線および３００ｎｍないし４１０ｎｍの波長領域内の少なくとも一部の紫外線の８０％以上を透過する透光性カバーとしての樹脂であるポリカーボネイト製のチューブ87内に挿入されている。なお、直管型の蛍光ランプに代えて、可視光線および３００ｎｍないし４１０ｎｍの波長領域内の紫外線を含む光を照射する環状型あるいはコンパクト型の蛍光ランプを用いても同様の効果を得ることができ、第３の実施の形態に示す可視光線および３００ｎｍないし４１０ｎｍの波長領域内の紫外線を含む光を照射する３波長発光型あるいはその他の蛍光ランプを用いる。
【００８９】
そして、チューブ87の外表面側には第１の実施の形態の図５に示す場合と同様に、中間層および光触媒層が積層形成されている。
【００９０】
そして、この第５の実施の形態も、蛍光ランプ86を点灯させることによりあるいは太陽光などの外光により、第１の実施の形態と同様の作用および効果を奏する。なお、この第５の実施の形態では、チューブ87を樹脂製としているが、樹脂を用いた場合にも第１の実施の形態に示す作用および効果を妨げない。
【００９１】
また、第６の実施の形態を図１６に示す照明装置としての投光器を参照して説明する。
【００９２】
図１６は投光器を示す一部を切り欠いた平面図で、この図１６に示す投光器91は、たとえば競技場などに配設されている。
【００９３】
この図１６に示す投光器91は、アルミダイキャスト製の回転曲面状の器具本体92を有し、この器具本体92の前面に開口93が形成され、器具本体92の背面には始動パルスを発生する始動器94が収容されるボックス95が取り付けられ、上面には１４および図１５に示す避難坑用照明装置81は、たとえばトンネルに平行に穿孔された避難坑内に配設されている。
【００９４】
これら図１４および図１５に示す避難坑用照明装置81は、箱状の器具本体82を有し、この器具本体82の上面には取付用の板状の直付金具83が取り付けられている。また、器具本体82の下面には反射板84が取り付けられ、この反射板84の長手方向の両端には対向して対をなすランプソケット84が取り付けられており、これらランプソケット85，85間には、光源として可視光線および３００ｎｍないし４１０ｎｍの波長領域内の紫外線を含む光を照射する直管型の蛍光ランプ86が着脱自在に取り付けられ、この蛍光ランプ86は可視光線および３００ｎｍないし４１０ｎｍの波長領域内の紫外線を含む光を透過する透光性カバーとしての樹脂であるポリカーボネイト製のチューブ87内に挿入されている。なお、直管型の蛍光ランプ86に代えて、可視光線および３００ｎｍないし４１０ｎｍの波長領域内の紫外線を含む光を照射する環状型あるいはコンパクト型の蛍光ランプを用いても同様の効果を得ることができ、第３の実施の形態に示す可視光線および３００ｎｍないし４１０ｎｍの波長領域内の紫外線を含む光を照射する３波長発光型あるいはその他の蛍光ランプを用いる。
【００９５】
そして、チューブ87の外表面側には第１の実施の形態の図５に示す場合と同様に、中間層および光触媒層が積層形成されている。
【００９６】
そして、この第５の実施の形態も、蛍光ランプ86を点灯させることによりあるいは太陽光などの外光により、第１の実施の形態と同様の作用および効果を奏する。なお、この第５の実施の形態では、チューブ87を樹脂製としているが、樹脂を用いた場合にも第１の実施の形態に示す作用および効果を妨げない。
【００９７】
また、第６の実施の形態を図１６に示す照明装置としての投光器を参照して説明する。
【００９８】
図１６は投光器を示す一部を切り欠いた平面図で、この図１６に示す投光器91は、たとえば競技場などに配設されている。
【００９９】
この図１６に示す投光器91は、アルミダイキャスト製の回転曲面状の器具本体92を有し、この器具本体92の前面に開口93が形成され、器具本体92の背面には始動パルスを発生する始動器94が収容されるボックス95が取り付けられ、上面には１４および図１５に示す避難坑用照明装置81は、たとえばトンネルに平行に穿孔された避難坑内に配設されている。
【０１００】
これら図１４および図１５に示す避難坑用照明装置81は、箱状の器具本体82を有し、この器具本体82の上面には取付用の板状の直付金具83が取り付けられている。また、器具本体82の下面には反射板84が取り付けられ、この反射板84の長手方向の両端には対向して対をなすランプソケット84が取り付けられており、これらランプソケット85，85間には、光源として可視光線および３００ｎｍないし４１０ｎｍの波長領域内の紫外線を含む光を照射する直管型の蛍光ランプ86が着脱自在に取り付けられ、この蛍光ランプ86は可視光線および３００ｎｍないし４１０ｎｍの波長領域内の少なくとも一部の紫外線を８０％以上を透過する透光性カバーとしての樹脂であるポリカーボネイト製のチューブ87内に挿入されている。なお、直管型の蛍光ランプに代えて、可視光線および３００ｎｍないし４１０ｎｍの少なくとも一部の紫外線を照射する環状型あるいはコンパクト型の蛍光ランプを用いても同様の効果を得ることができ、第３の実施の形態に示す可視光線および３００ｎｍないし４１０ｎｍの波長領域内の紫外線を含む光を照射する３波長発光型あるいはその他の蛍光ランプを用いる。
【０１０１】
そして、チューブ87の外表面側には第１の実施の形態の図５に示す場合と同様に、中間層および光触媒層が積層形成されている。
【０１０２】
そして、この第５の実施の形態も、蛍光ランプ86を点灯させることによりあるいは太陽光などの外光により、第１の実施の形態と同様の作用および効果を奏する。なお、この第５の実施の形態では、チューブ87を樹脂製としているが、樹脂を用いた場合にも第１の実施の形態に示す作用および効果を妨げない。
【０１０３】
また、第６の実施の形態を図１６に示す照明装置としての投光器を参照して説明する。
【０１０４】
図１６は投光器を示す一部を切り欠いた平面図で、この図１６に示す投光器91は、たとえば競技場などに配設されている。
【０１０５】
この図１６に示す投光器91は、アルミダイキャスト製の回転曲面状の器具本体92を有し、この器具本体92の前面に開口93が形成され、器具本体92の背面には始動パルスを発生する始動器94が収容されるボックス95が取り付けられ、上面には照明塔などに取り付けるための図示しない取付体が形成され、背面側には冷却用の冷却フィン96，97が形成されている。また、器具本体92には背面側近傍に対をなすランプソケット98が取り付けられており、これらランプソケット98間には、光源として可視光線および３００ｎｍないし４１０ｎｍの波長領域内の紫外線を含む光を照射するショートアーク型の高輝度放電ランプ99が取り付けられる。また、器具本体92の内面には高輝度放電ランプ99を内包して器具本体92と同様に回転曲面状の反射体100 が装着されている。さらに、器具本体92の周囲にも第１の実施の形態で記載したように、光触媒層を形成しメインテナンスを容易にしても良い。
【０１０６】
また、前面の開口93には平板状の強化ガラス製の透光性カバーとして可視光線および３００ｎｍ〜４１０ｎｍの波長領域内の少なくとも一部の紫外線を８０％以上透過する照明カバー101 が枠体102 に保持されて器具本体92に開閉可能に取り付けられている。
【０１０７】
そして、照明カバー101 の外表面側には第１の実施の形態の図５に示す場合と同様に、中間層および光触媒層が積層形成されている。
【０１０８】
そして、この第６の実施の形態も、高輝度放電ランプ99を点灯させることによりあるいは太陽光などの外光により、第１の実施の形態と同様の作用および効果を奏する。特に、高所に配置されたメインテナンスが容易でない投光器の照度の低下を防止して、メインテナンスの向上、省エネルギー効果を発揮する。
【０１０９】
なお、投光器としては滑走路進入灯、進入角指示灯あるいは屋外型のものに限らず、劇場用のスポットライト、エフェクトライトに用いても同様の効果を得ることができる。
【０１１０】
さらに、第７の実施の形態を図１７に示す照明装置としての航空障害灯を参照して説明する。
【０１１１】
図１７は航空障害灯を示す一部を切り欠いた平面図で、この図１７に示す航空障害灯111 は、たとえば高層ビルあるいは高層建築物などに配設されている。
【０１１２】
この図１７に示す航空障害灯111 は、中空の器具本体112 を有し、この器具本体112 の基端側にはビルなどに装着するための取付面113 が形成され、上方側には放熱孔114 が穿設されている。さらに、器具本体112 の上部には円筒状の基体115 が取り付けられ、この基体115 の内部と放熱孔114 とは連通され空気流通経路116 が形成されている。また、基体115 の外面には基板117 が取り付けられ、この基板117 には多数の光源として赤色の可視光線を照射する発光ダイオード118 が取り付けられる。また、器具本体112 の上部には発光ダイオード118 を内包した円筒状のプラスチック製の透光性カバーとして赤色透明の赤色カバー119 が器具本体112 に着脱可能に取り付けられている。そして、赤色カバー119 の外表面側には第１の実施の形態の図５に示す場合と同様に、中間層および光触媒層が積層形成されている。さらに、器具本体112 の周囲にも第１の実施の形態で記載したように、光触媒層を形成しメインテナンスを容易にしても良い。
【０１１３】
また、この第７の実施の形態の光源として、発光ダイオード118 の代りに、あるいは、発光ダイオード118 に加えて３００ｎｍ〜４１０ｎｍの波長領域内の紫外線を含む光を出力する光源を配設し、透光性カバーを３００ｎｍ〜４１０ｎｍの波長領域内の少なくとも一部の紫外線を８０％以上透過するようにしてもよい。
【０１１４】
そして、この第７の実施の形態も、太陽光などの外光により、第１の実施の形態と同様の作用および効果を奏する。
【０１１５】
またさらに、第８の実施の形態を図１８および図１９に示す照明装置としての滑走路誘導灯を参照して説明する。
【０１１６】
図１８は滑走路誘導灯を示す断面図で、図１９はその平面図で、これら図１８および図１９に示す滑走路誘導灯121 は、たとえば空港の滑走路などに配設されている。
【０１１７】
これら図１８および図１９に示す滑走路誘導灯121 は、アルミダイキャスト製の器具本体122 を有し、この器具本体122 は滑走路123 などに形成された穴部124 に設けられたボックス125 に収納されている。そして、器具本体122 の中央には光源として可視光線および３００ｎｍないし４１０ｎｍの波長領域内の紫外線を含む光を照射するハロゲンランプ126 が取り付けられる。また、このハロゲンランプ126 に対向して一対の反射鏡127 が取り付けられている。
【０１１８】
そして、器具本体122 の上面側には、器具本体122 と同様にアルミダイキャスト製の蓋体128 が図示しないねじなどにて着脱自在に取り付けられ、この蓋体128 には反射鏡127 に対応した位置に開口129 が形成され、この開口129 にはブロック状の硬質ガラス製の透光性カバーとして可視光線および３００ｎｍ〜４１０ｎｍの波長領域内の少なくとも一部の紫外線を８０％以上透過するリングガラス130 が取り付けられている。そして、リングガラス130 の外表面側には第１の実施の形態の図５に示す場合と同様に、中間層および光触媒層が積層形成されている。さらに、蓋体128 の周囲にも第１の実施の形態で記載したように、光触媒層を形成しメインテナンスを容易にしても良い。
【０１１９】
そして、この第８の実施の形態も、ハロゲンランプ126 を点灯させることによりあるいは太陽光などの外光により、第１の実施の形態と同様の作用および効果を奏する。特に、滑走路を利用する航空機からのタイヤとの接触による汚れなどに対して有効であり、メインテナンスを多くすることなくより安全性が向上する。
【０１２０】
そしてまた、第９の実施の形態を図２０に示す照明装置としてのヘッドライト装置を参照して説明する。
【０１２１】
図２０はヘッドライト装置を示す断面図であり、この図２０に示すヘッドライト装置141 は、自動車に配設されている。
【０１２２】
この図２０に示すヘッドライト装置141 は、前面が開口した箱状の器具本体142 を有し、この器具本体142 の背面にはユニットケース143 が取り付けられ、このユニットケース143 にはランプソケット144 が装着され、このランプソケット144 には、光源として可視光線および３００ｎｍないし４１０ｎｍの波長領域内の紫外線を含む光を照射する放電ランプ145 が着脱自在に取り付けられるとともに、この放電ランプ145 からの照射光を反射する反射体146 が取り付けられている。
【０１２３】
また、器具本体142 の前面側の開口には可視光線および３００ｎｍないし４１０ｎｍの波長領域内の少なくとも一部の紫外線の８０％以上を透過するレンズ状の透光性カバーとしての内面にプリズムが形成されたヘッドライトカバー147 が取り付けられている。そして、ヘッドライトカバー147 の外表面側には第１の実施の形態の図５に示す場合と同様に、中間層および光触媒層が積層形成されている。
【０１２４】
そして、この第９の実施の形態も、放電ランプ145 を点灯させることによりあるいは太陽光などの外光により、第１の実施の形態と同様の作用および効果を奏する。
【０１２５】
なお、この場合、一般的な光源、反射鏡およびプリズムを有する前面ガラスを備えたヘッドライト装置に限らず、光源、反射鏡、非球面レンズおよび前面ガラスを備えたプロジェクタ型のヘッドライト装置、あるいは、反射鏡および前面ガラスを備えたマルチリフレクタ型のランプのいずれに適用しても良い。また、ヘッドライト装置に限らず、フォグランプ、ドライビングランプあるいはスポットランプなどの補助ランプ、走行中の使用が認められないワーキングランプ、または、スモールランプ、トワイライトランプ、コーナリングランプ、ターンシグナルランプ、ブレーキランプ、パーキングランプあるいは回転灯のいずれに用いても同様の効果を得ることができる。さらに、自動車に限らず、航空機または船舶その他の移動物体に使用しても同様の効果を得ることができる。
【０１２６】
特に、このような移動物体に使用した場合には、道路その他の場所の排気ガスなどによる汚れが付着しにくくなり、メインテナンスが向上し、視認性の向上および省エネルギー効果を有する。
【０１２７】
そしてまた、第１０の実施の形態を図２１ないし図２３に示す耐腐食性の照明装置を参照して説明する。
【０１２８】
図２１はトンネル用照明装置を示す正面図で、図２２は側面図で、図２３は照明カバーの取り付け状態を示す断面図であり、これら図２１ないし図２３に示すトンネル用照明装置151 は、トンネル内に取り付けられている。
【０１２９】
これら図２１ないし図２３に示すトンネル用照明装置151 は耐腐食性を有しており、前面が開口したステンレス製の箱状の器具本体152 を有し、この器具本体152 の背面には直付金具153 が取り付けられている。また、器具本体152 の前面開口には蓋体154 が上部に設けられたヒンジ155 により器具本体152 と同様にステンレス製の蓋体154 に開閉可能に取り付けられており、器具本体152 の下部に設けられたラッチ体156 により蓋体154 は器具本体152 に水密に閉塞されている。
【０１３０】
そして、蓋体154 の照射開口157 の周囲に沿って外方に向けて突出した凹部164 を形成し、この凹部にシリコンゴム接着剤165 を充填して、蓋体154 の背面側には照明カバー159 を背面側からシリコンゴム接着剤166 を介して押圧し遮光部材としての押さえ板167 をスポット溶接し、押さえ板167 により遮光してシリコンゴムパッキン158 近傍の光触媒膜に高圧ナトリウムランプ162 からの紫外線が照射されることを防止し、シリコンゴムパッキン158 が光触媒作用により劣化することを防止するものである。したがって、シリコンゴム接着剤164 ，166 は光触媒層により腐食されにくくなる。
【０１３１】
また、器具本体152 にはランプソケット160 が取り付けられており、これらランプソケット160 には、光源として可視光線および３００ｎｍないし４１０ｎｍの波長領域内の紫外線を含む光を照射する片口金型の高圧ナトリウムランプ161 が着脱自在に取り付けられ、この高圧ナトリウムランプ161 は器具本体152 に設けられた反射体168 に対応して設けられるとともに、蓋体154 の照明カバー159 に対向している。さらに、器具本体152 には高圧ナトリウムランプ161 を始動点灯させる安定器が収納されたが安定器ボックス162 が取り付けられている。なお、器具本体152 内には、高圧ナトリウムランプ161 に光学的に対向した図示しない反射体が配設されている。
【０１３２】
さらに、器具本体152 および蓋体154 の周囲にも単に塗装をするのみならず、第１の実施の形態で記載したように、光触媒層を形成しメインテナンスを容易にしても良い。
【０１３３】
そして、この第１０の実施の形態も、高圧ナトリウムランプ161 を点灯させることによりあるいは太陽光などの外光により、第１の実施の形態と同様の作用および効果を奏する。
【０１３４】
また、図２４は他の実施の形態の照明カバーの取り付け状態を示す断面図で、この図２４に示す実施の形態は、蓋体154 には中央に照射開口157 が形成され、この照射開口157 には断面Ｈ字型の耐腐食性を有するシリコンゴムパッキン158 にて可視光線および３００ｎｍないし４１０ｎｍの波長領域内の少なくとも一部の紫外線の８０％以上を透過する透光性カバーとしての照明カバー159 が水密に取り付けられている。なお、外表面側には第１の実施の形態の図５に示す場合と同様に、中間層および光触媒層が積層形成されているが、シリコンゴムパッキン158 に接触する部分には中間層および光触媒層を設けず、シリコンゴムパッキン158 が光触媒層により、酸化、還元されることがなくなる。
【０１３５】
また、図２５は他の実施の形態の照明カバーの取り付け状態を示す断面図で、この図２５に示す実施の形態は照明カバー159 の光触媒層を外表面前面に形成し、シリコンゴムパッキン158 との接触部分にシリカ（ＳｉＯ２）およびアルミナ（Ａｌ２Ｏ３）の保護層171 を形成し、光触媒層を保護したものである。
【０１３６】
さらに、図２６はまた他の実施の形態の照明カバーの取り付け状態を示す断面図で、この図２６に示す実施の形態は図２４または図２５に示す実施の形態において、蓋体154 の内面側に、シリコンゴムパッキン158 と高圧ナトリウムランプ162 間に位置して、スポット溶接により遮光部材としての遮光板172 を蓋体154 に取り付け、シリコンゴムパッキン158 近傍の光触媒膜に高圧ナトリウムランプ162 からの紫外線が照射されることを防止し、シリコンゴムパッキン158 が光触媒作用により劣化することを防止するものである。
【０１３７】
次に、第１１の実施の形態を図２７および図２８に示すトンネル用照明装置を参照して説明する。
【０１３８】
図２７はトンネル用照明装置を示す正面図で、図２８は一部を切り欠いた側面図であり、これら図６ないし図８に示すトンネル用照明装置181 は、たとえばトンネル内に配設されている。
【０１３９】
これら図２７および図２８に示すトンネル用照明装置181 は、図６ないし図８に示すトンネル用照明装置21において、主として可視光を照射する低圧ナトリウムランプ182 をランプソケット26に装着し、この低圧ナトリウムランプ182 とは別個に主として紫外線を照射するいわゆるブラックライトといわれる紫外線照射ランプ183 をランプソケット184 ，184 間に配設し、紫外線照射ランプ183 を低圧ナトリウムランプ182 に対して並列に配設したものである。また、この紫外線照射ランプ183 に対応する部分の反射板25には、この紫外線照射ランプ183 からの光を照明カバー28のほぼ全面に反射させる紫外線反射部185 が形成されている。
【０１４０】
そして、紫外線を照射しないあるいはほとんど照射しない低圧ナトリウムランプ182 を用いても、紫外線照射ランプ183 から紫外線を照射するので、光触媒を確実に行なうことができる。したがって、紫外線を照射しない任意のランプを用いても、光触媒を確実に行なうことができる。
【０１４１】
また、第１２の実施の形態を図２９ないし図３１に示す非常駐車帯用照明装置を参照して説明する。
【０１４２】
図２９は非常駐車帯用照明装置を示す正面図で、図３０は一部を切り欠いた側面図である。
【０１４３】
これら図２９および図３０に示す照明装置191 は、たとえばトンネル内の非常駐車帯に配設されている。
【０１４４】
これら図２９および図３０に示す照明装置191 は、図９ないし図１１に示す照明装置41において、主として可視光線を照射する蛍光ランプ47，47の両側対角線位置に、主として紫外線を照射するいわゆるブラックライトといわれる紫外線照射ランプ192 ，192 をそれぞれランプソケット193 ，193 間に配設し、紫外線照射ランプ192 ，192 を蛍光ランプ47，47に対して並列に配設したものである。また、この紫外線照射ランプ192 ，192 に対応する部分の反射板45には、この紫外線照射ランプ192 ，192 からの光を照明カバー48のほぼ反面ずつ全面に反射させる紫外線反射部194 ，194 が形成されている。
【０１４５】
そして、紫外線を照射しないあるいはほとんど照射しない蛍光ランプ47，47を用いても、紫外線照射ランプ192 ，192 から紫外線を照射するので、光触媒を確実に行なうことができる。したがって、この場合も同様に紫外線を照射しない任意のランプを用いても、光触媒を確実に行なうことができる。
【０１４６】
また、図３１はこの透光性カバーの取り付け状態を示す断面図である。そして、図３１に示すように、器具本体42には水密用のパッキン195 が設けられ、このパッキン195 の対向する照明カバー48には光触媒膜は形成されず、器具本体42の光触媒膜に対向する部分には遮光用のブラシ196 が設けられている。そして、パッキン195 に対向する部分には、光触媒膜が形成されていないため、パッキン195 は光触媒の活性により腐食されることがなく、水密性を長期間維持することができる。仮に、光触媒層が製造上の不具合によってパッキン195 が位置する内側面間でおよんでしまったとしても、ブラシ196 によって紫外線が遮光されるため、パッキン195 が腐食されにくい。また、ブラシ196 の先端は一部のみが光触媒膜に接触するので、光触媒の影響を受けにくく光触媒の活性によっても腐食されにくい。なお、ブラシ196 自体を光触媒の活性の影響を受けにくい部材で形成しても同様の効果を得ることができる。
【０１４７】
さらに、第１３の実施の形態を図３２に示す街路灯を参照して説明する。
【０１４８】
図３２は街路灯を示す斜視図である。
【０１４９】
この図３２に示す街路灯201 は、器具本体202 は、直方体の各辺に対応した形状の枠体202 を有し、この枠体202 には５面に表面に光触媒膜が形成されたガラスあるいは樹脂にて形成された透光カバー203 が取り付けられ、内部に光源としての高輝度放電ランプ204 が配設されている。また、枠体202 ，202 は、ポール205 に支持体206 を介して接続され、ポール205 の枠体202 近傍には、反射面207 が形成されている。
【０１５０】
そして、たとえば太陽光からの紫外線などにより光触媒を行なう場合には、枠体202 自体の影になり光触媒の効率が低下することがあるが、反射面207 により必要な紫外線を光触媒膜で反射し、反射面207 からの反射光により光触媒を行ない、効率良く確実に光触媒を行なう。
【０１５１】
なお、反射面は、ポールの表面に反射面を直接形成したり、別体のミラー取り付けたり、任意に形成すれば良い。また、既存の照明装置にミラーなどを取り付ければ、簡単に構成できる。
【０１５２】
また、屋外用の器具一体型あるいは単体型のフォトスイッチに適用すれば、汚れによる感度の変化による誤動作あるいは感度の誤差を小さくできる。特に、周囲の明るさが所定値以下に変化した場合にランプを点灯させるなどのスイッチの場合には、汚れにより所定値以下の明るさではないのに点灯を開始したり、所定値以上の明るさになっても消灯しないなどで必要以上に長い時間ランプが点灯するいわゆる誤動作を防止し、省エネルギー効果を図れる。
【０１５３】
さらに、いずれの実施の形態の場合にも、干渉フィルタを取り付けても良く、この場合高屈折率材料に５酸化タンタル、低屈折材料にシリカを用いても良い。
【図面の簡単な説明】
【０１５４】
【図１】本発明の第１の実施の形態の道路用照明装置を示す縦断面図である。
【図２】同上斜視図である。
【図３】同上一部を切り欠いた背面図である。
【図４】同上平面図である。
【図５】同上光触媒層の状態を示す断面図である。
【図６】同上第２の実施の形態のトンネル用照明装置を示す斜視図である。
【図７】同上正面図である。
【図８】同上一部を切り欠いた側面図である。
【図９】同上第３の実施の形態の非常駐車帯用照明装置を示す斜視図である。
【図１０】同上正面図である。
【図１１】同上一部を切り欠いた側面図である。
【図１２】同上第４の実施の形態のトンネル誘導表示灯を示す正面図である。
【図１３】同上平面図である。
【図１４】同上第５の実施の形態の避難坑用照明装置を示す正面図である。
【図１５】同上側面図である。
【図１６】同上第６の実施の形態の投光器を示す一部を切り欠いた平面図である。
【図１７】同上第７の実施の形態の航空障害灯を示す一部を切り欠いた平面図である。
【図１８】同上第８の実施の形態の滑走路誘導灯を示す断面図である。
【図１９】同上平面図である。
【図２０】同上第９の実施の形態のヘッドライト装置を示す断面図である。
【図２１】同上第１０の実施の形態の耐腐食性の照明装置を示す平面図である。
【図２２】同上側面図である。
【図２３】同上照明カバーの取り付け状態を示す断面図である。
【図２４】同上他の実施の形態の照明カバーの取り付け状態を示す断面図である。
【図２５】同上また他の実施の形態の照明カバーの取り付け状態を示す断面図である。
【図２６】同上さらに他の実施の形態の照明カバーの取り付け状態を示す断面図である。
【図２７】同上第１１の実施の形態のトンネル用照明装置を示す正面図である。
【図２８】同上一部を切り欠いた側面図である。
【図２９】同上第１２の実施の形態の非常駐車帯用照明装置を示す正面図である。
【図３０】同上一部を切り欠いた側面図である。
【図３１】同上周縁近傍を示す断面図である。
【図３２】同上第１３の実施の形態の街路灯を示す斜視図である。
【符号の説明】
【０１５５】
１    道路用照明装置
２    ポール
３，22，42，62，82，92，112 ，122 ，142 ，152     器具本体
11    光源としての高圧水銀ランプ
12    透光性カバーとしてのグローブ
17    中間層
18    光触媒層
91    照明装置としての投光器
99    光源としての高輝度放電ランプ
111   照明装置としての航空障害灯
118   光源としての発光ダイオード
119   透光性カバーとしての赤色カバー
121   照明装置としての滑走路誘導灯
130   透光性カバーとしてのリングガラス
141   照明装置としてのヘッドライト装置
145   光源としての放電ランプ
147   透光性カバーとしてのヘッドライトカバー
161 ，182   光源としての低圧ナトリウムランプ
172   遮光部材としての遮光板
183 ，192   光源としての紫外線照射ランプ
201   照明装置としての街路灯
【図１】
2006245007.tif 000003
【図２】
2006245007.tif 000004
【図３】
2006245007.tif 000005
【図４】
2006245007.tif 000006
【図５】
2006245007.tif 000007
【図６】
2006245007.tif 000008
【図７】
2006245007.tif 000009
【図８】
2006245007.tif 000010
【図９】
2006245007.tif 000011
【図１０】
2006245007.tif 000012
【図１１】
2006245007.tif 000013
【図１２】
2006245007.tif 000014
【図１３】
2006245007.tif 000015
【図１４】
2006245007.tif 000016
【図１５】
2006245007.tif 000017
【図１６】
2006245007.tif 000018
【図１７】
2006245007.tif 000019
【図１８】
2006245007.tif 000020
【図１９】
2006245007.tif 000021
【図２０】
2006245007.tif 000022
【図２１】
2006245007.tif 000023
【図２２】
2006245007.tif 000024
【図２３】
2006245007.tif 000025
【図２４】
2006245007.tif 000026
【図２５】
2006245007.tif 000027
【図２６】
2006245007.tif 000028
【図２７】
2006245007.tif 000029
【図２８】
2006245007.tif 000030
【図２９】
2006245007.tif 000031
【図３０】
2006245007.tif 000032
【図３１】
2006245007.tif 000033
【図３２】
2006245007.tif 000034